【手続補正書】
【提出日】平成20年3月5日(2008.3.5)
【手続補正１】
【補正対象書類名】明細書
【補正対象項目名】特許請求の範囲
【補正方法】変更
【補正の内容】
【特許請求の範囲】
【請求項１】  表示装置の同一表示画面内に、階調データが異なる少なくとも２種類以上の画像を表示する階調表示方法において、
入力階調信号の階調数より表示可能な階調数が低い場合に、個々の画素単独による階調表示と、複数の画素を１単位とした階調表示及び／または同一画素について複数のフレームを１単位とした階調表示を用い、表示画面内の所望の箇所に異なる最大階調数で表示することを特徴とする階調表示方法。
【請求項２】  請求項１に記載の階調表示方法において、前記最大階調数が異なる各部分の該最大階調数は、前記表示手段における階調表示を行うための駆動ＩＣによって規定されることを特徴とする階調表示方法。
【請求項３】  請求項１に記載の階調表示方法において、個々の画素それぞれについて画素単独で階調表示を行う個別画素階調表示と、複数の画素を１単位として該１単位ごとに階調表示を行う面積階調表示とを使用することを特徴とする階調表示方法。
【請求項４】  請求項１に記載の階調表示方法において、個々の画素それぞれについて画素単独で階調表示を行う個別画素階調表示と、同一画素について複数フレーム分の該同一画素を１単位として該１単位ごとに階調表示を行う個別画素／フレーム階調表示とを使用することを特徴とする階調表示方法。
【請求項５】  請求項１に記載の階調表示方法において、個々の画素それぞれについて画素単独で階調表示を行う個別画素階調表示と、複数の画素について複数のフレーム分の該複数の画素を１単位として該１単位ごとに階調表示を行う面積／フレーム階調表示とを使用することを特徴とする階調表示方法。
【請求項６】  請求項３または５に記載の階調表示方法において、階調を表示するための複数の画素からなる前記１単位の画素数及び構成画素の組み合わせを、１または複数フレーム毎に変更することを特徴とする階調表示方法。
【請求項７】  請求項１，３ないし６のいずれか１に記載の階調表示方法において、特定の範囲の入力階調信号は、階調を表示するための階調制御の対象とする画素として使用しないことを特徴とする階調表示方法。
【請求項８】  請求項７に記載の階調表示方法において、入力階調信号の最も高い階調を含む特定の範囲の階調信号と、該入力階調信号の最も低い階調を含む特定の範囲の階調信号とを、階調を表示するための階調制御の対象とする画素として使用しないことを特徴とする階調表示方法。
【請求項９】  請求項７または８に記載の階調表示方法において、前記階調を表示するための階調制御の対象とする画素として使用しない階調の範囲は、使用者が設定可能であることを特徴とする階調表示方法。
【請求項１０】  請求項１に記載の階調表示方法において、１画素を複数の画素に分割し、該分割したそれぞれの領域の動作期間を制御することにより、前記２種類以上の異なる階調表示を行うことを特徴とする階調表示方法。
【請求項１１】  請求項１０に記載の階調表示方法において、１画素は少なくとも面積比１：８に分割され、面積比１画素のデューティ比を調整することにより最大６４階調表示と最大２５６階調表示を実現することを特徴とする階調表示方法。
【請求項１２】  請求項１，３ないし１１のいずれか１に記載の階調表示方法において、１表示画面に設定される２種類以上の階調表示を行う範囲は、少なくとも１種類以上を使用者が任意に設定可能であることを特徴とする階調表示方法。
【請求項１３】  入力階調信号に応じて表示手段における階調表示を行う機能を有する表示コントローラにおいて、該表示コントローラは、階調データが異なる少なくとも２種類以上の画像を表示装置の同一表示画面内に設定する画面設定手段を有し、
該画面設定手段は、入力階調信号の階調数より表示可能な階調数が低い場合に、個々の画素単独による階調表示と、複数の画素を１単位とした階調表示及び／または同一画素について複数のフレームを１単位とした階調表示を用い、表示画面内の所望の箇所に異なる最大階調数で表示する設定を行うことを特徴とする階調表示方法。
【請求項１４】  請求項１３に記載の表示コントローラにおいて、前記最大階調数が異なる各部分の該最大階調数は、前記表示手段における階調表示を行うために備えた駆動ＩＣによって規定されることを特徴とする表示コントローラ。
【請求項１５】  請求項１３に記載の表示コントローラにおいて、個々の画素それぞれについて画素単独で階調表示を行う個別画素階調表示手段と、複数の画素を１単位として該１単位ごとに階調表示を行う面積階調表示手段とを有することを特徴とする表示コントローラ。
【請求項１６】  請求項１３に記載の表示コントローラにおいて、個々の画素それぞれについて画素単独で階調表示を行う個別画素階調表示手段と、同一画素について複数フレーム分の該同一画素を１単位として該１単位ごとに階調表示を行う個別画素／フレーム階調表示手段とを有することを特徴とする表示コントローラ。
【請求項１７】  請求項１３に記載の表示コントローラにおいて、個々の画素それぞれについて画素単独で階調表示を行う個別画素階調表示手段と、複数の画素について複数のフレーム分の該複数の画素を１単位として該１単位ごとに階調表示を行う面積／フレーム階調表示手段を有することを特徴とする表示コントローラ。
【請求項１８】  請求項１５または１７に記載の表示コントローラにおいて、階調を表示するための複数の画素からなる前記１単位の画素数及び構成画素の組み合わせを、１または複数フレーム毎に変更する手段を有することを特徴とする表示コントローラ。
【請求項１９】  請求項１３，１５ないし１８のいずれか１に記載の表示コントローラにおいて、特定の範囲の入力階調信号を、階調を表示するための階調制御の対象とする画素として使用しないように制御する使用画素制御手段を有することを特徴とする表示コントローラ。
【請求項２０】  請求項１９に記載の表示コントローラにおいて、入力階調信号の最も高い階調を含む特定の範囲の階調信号と、該入力階調信号の最も低い階調を含む特定の範囲の階調信号とを、階調を表示するための階調制御の対象とする画素として使用しないように制御する使用画素制御手段を有することを特徴とする表示コントローラ。
【請求項２１】  請求項１９または２０に記載の表示コントローラにおいて、前記使用画素制御手段における前記階調を表示するための階調制御の対象とする画素として使用しない階調の範囲を、使用者によって設定可能としたことを特徴とする表示コントローラ。
【請求項２２】  請求項１３に記載の表示コントローラにおいて、前記画面設定手段は、１画素を複数の画素に分割し、該分割したそれぞれの領域の動作期間を制御することにより、前記２種類以上の異なる階調表示を行うことを特徴とする表示コントローラ。
【請求項２３】  請求項２２に記載の表示コントローラにおいて、前記画面設定手段は、１画素を少なくとも面積比１：８に分割し、面積比１画素のデューティ比を調整することにより最大６４階調表示と最大２５６階調表示を実現することを特徴とする表示コントローラ。
【請求項２４】  請求項１３，１５ないし２３のいずれか１に記載の表示コントローラにおいて、前記画面設定手段により１表示画面に設定される２種類以上の階調表示を行う範囲は、少なくとも１種類以上を使用者が任意に設定可能としたことを特徴とする表示コントローラ。
【請求項２５】  請求項１ないし１２のいずれか１に記載の階調表示方法を実行する手段を有することを特徴とする表示装置。
【手続補正２】
【補正対象書類名】明細書
【補正対象項目名】００２３
【補正方法】変更
【補正の内容】
【００２３】
【課題を解決するための手段】
請求項１の発明は、表示装置の同一表示画面内に、階調データが異なる少なくとも２種類以上の画像を表示する階調表示方法において、入力階調信号の階調数より表示可能な階調数が低い場合に、個々の画素単独による階調表示と、複数の画素を１単位とした階調表示及び／または同一画素について複数のフレームを１単位とした階調表示を用い、表示画面内の所望の箇所に異なる最大階調数で表示することを特徴としたものである。
【手続補正３】
【補正対象書類名】明細書
【補正対象項目名】００３５
【補正方法】変更
【補正の内容】
【００３５】
請求項１３の発明は、入力階調信号に応じて表示手段における階調表示を行う機能を有する表示コントローラにおいて、該表示コントローラは、階調データが異なる少なくとも２種類以上の画像を表示装置の同一表示画面内に設定する画面設定手段を有し、該画面設定手段は、入力階調信号の階調数より表示可能な階調数が低い場合に、個々の画素単独による階調表示と、複数の画素を１単位とした階調表示及び／または同一画素について複数のフレームを１単位とした階調表示を用い、表示画面内の所望の箇所に異なる最大階調数で表示する設定を行うことを特徴としたものである。